(57)【要約】      （修正有）【課題】内部に容量の大きな収納部が形成でき、簡単に切り開くことができて、持ち運びに便利な手提げ袋を提供する。【解決手段】手提げ袋１は、重なり合う２枚のシート面２ａ，２ｂの左右側端３で接続して形成されていて、口部付近において両側部に持ち手穴を形成する切り込み５が設けられている。内容物を収納した後、口部を底辺に対して直角方向に合わせることによって、略四面体状の立体形状を形成して大きな収納空間を形成し、また、口部の中央に現れる接続部３を裂くことによって、簡単に切り開くことができる。【選択図】図２
0003154417.tif 000002
【実用新案登録請求の範囲】
【請求項１】
重なり合う２枚のシート面の左右側端で接続して形成した手提げ袋であって、口部付近において両側部に持ち手穴を形成する切り込みが設けられている手提げ袋。
【請求項２】
熱可塑性樹脂シートまたは熱可塑性樹脂のコーティングが施された紙よりなり、加熱圧着によって接続されている請求項１に記載の手提げ袋。
【請求項３】
切り込みよりも底部側に切断補助手段が設けられている請求項１または請求項２に記載の手提げ袋。
【請求項４】
切断補助手段がミシン目である請求項３に記載の手提げ袋。
【考案の詳細な説明】
【技術分野】
【０００１】
この考案は、食品などを包装するための袋に関するものである。
【背景技術】
【０００２】
図１に示すような食品などを入れて持ち運びする袋は、既に普及している。袋の上部の中央が長穴状にくりぬかれていて、そこを持ち手部分として利用できるようになっている。特許文献１に記載された食品陳列用袋や特許文献２に記載された手提げ袋においても、袋の上部の中央に長穴状の持ち手穴が設けられている。
【先行技術文献】
【特許文献】
【０００３】
【特許文献１】特開２００７−３０８１９９号公報
【特許文献２】特開２００９−２９４６５号公報
【考案の概要】
【考案が解決しようとする課題】
【０００４】
特許文献１の食品陳列用袋や特許文献２の手提げ袋など、これまでの袋には、中央部に持ち手穴が形成されており、そこに手をかけて袋を持ち上げるようになっている。そのため、袋内に物品を入れた後に口部を閉じるとき、底部の辺と平行に閉じなければならない。したがって、袋は平面に近い状態で閉じられ、内部に形成される収納部の容量が小さい。また、熱圧着で口部をシールした場合、はさみなどを使用してシール部に平行に切り開かなければ、内部のものを取り出すことができない。
【０００５】
この考案は、内部に容量の大きな収納部が形成でき、簡単に切り開くことができて、持ち運びに便利な手提げ袋を提供することを目的とする。
【課題を解決するための手段】
【０００６】
上述の課題を解決するため、この考案の手提げ袋は、重なり合う２枚のシート面の左右側端が接続されて形成されていて、口部付近において両側部に持ち手穴を形成する切り込みが設けられている。熱可塑性樹脂シートまたは熱可塑性樹脂のコーティングが施された紙よりなり、加熱圧着によって接続されていることが好ましい。また、切り込みよりも底部側に切断補助手段が設けてもよい。この切断補助手段として、たとえば、ミシン目を入れてもよい。
【考案の効果】
【０００７】
この考案の握り飯用包装材は、口部付近の両側部に設けられた切込みを手持ち穴として使用することによって、持ち運びがしやすい。底辺に垂直な方向に口部を閉じ合わせることによって、大きな内部空間が形成され、多くのものを収納できる。また、２枚のシート面の接続部に沿って切断することによって容易に袋を開くことができる。
【図面の簡単な説明】
【０００８】
【図１】従来の手提げ袋を示す正面図である。
【図２】この考案の手提げ袋を示す正面図である。
【図３】この考案の手提げ袋の使用状態を示す斜視図である。
【考案を実施するための形態】
【０００９】
この考案を実施するための形態について図面に基づいて説明する。図２はこの考案の手提げ袋を示す正面図である。
【００１０】
この考案の手提げ袋１は、重なり合う２枚のシート面２ａ，２ｂを左右側端３で接続して形成したものである。ここで、２枚のシート面２ａ，２ｂは分離された２枚のシートであってもよいが、左右対称な細長いシート部材を中心線で折って向い合わせたものであってもよい。
【００１１】
シート面を形成するシート材として紙を使用し、接着剤によって側部を貼り合わせてもよいが、ここでは、熱可塑性樹脂シートまたは熱可塑性樹脂のコーティングが施された紙を使用し、加熱圧着によって側部を接続している。
【００１２】
底辺の構造については特に限定はない。２枚のシート面２ａ，２ｂの接着や加熱圧着でもよく、図２に示すように、ガゼット折りと呼ばれる折り返し部４が形成されていてもよい。この折り返し部４を設けることによって、内部に物品を収納したときに、立てた状態で置くことができる。
【００１３】
口部付近において両側部３に持ち手穴を形成する切り込み５が設けられている。持ち手の形状を楕円や長穴状とすると、その対称軸を側部３に合わせ、内側に向いて持ち手形状の半分の形状に切り抜く。この切り込みは、２枚のシート面２ａ，２ｂの双方に設けられる。
【００１４】
さらに、この例においては、口部付近で、切り込みよりも底部側に切断補助手段６が設けられている。この切断補助手段６は、袋の上部を切り離すことを容易にするもので、たとえば、どちらかの側端部３にノッチを入れたり、あるいはカットテープを設けたりして構成することができるが、ここでは、口部の辺７に平行なミシン目を２枚のシート面２ａ，２ｂの双方に設けている。
【００１５】
ついで、この手提げ袋の使用方法について説明する。図３は、手提げ袋の使用状態を示す斜視図である。この手提げ袋１は図２に示すような平たくたたまれた状態で、内容物の製造者や販売者などに提供される。この状態では、多数の手提げ袋１を重ねておくことができ、場所をとらないので運搬や保管に便利である。
【００１６】
この手提げ袋１に内容物を入れる。トマトなどの生鮮食品や加工食品、あるいはさまざまな小物などを収納できる。ついで、口部を底辺８に対して直角になる向きで合わせて閉じる。すなわち、口部では左右側端部３同士の位置がほぼ合うような状態になる。このとき、切り込み部５によって形成される穴９が口部の合わせ面の中央に表れる。図２の左右に示される切込み部５の持ち手穴９がそれぞれ重なり合って、一つの持ち手穴を形成する。この状態で、持ち手穴９と切断補助手段６（ミシン目）の間をヒートシールによって閉じる。
【００１７】
このようにして、内容物を収納した手提げ袋が密閉される。このとき、手提げ袋１はほぼ四面体の形状となる。このように立体的な形状になるので、内部には多くの内容物を収納できる。
【００１８】
この手提げ袋１に入った商品を購入したものは、切込み部によって形成された持ち手穴に指を通すことができるので持ちやすい。内容物を取り出すときは、上部の合わせ面を握り、中心を裂くことによって手提げ袋を開くことができる。２枚のシート面の接合部が上部の合わせ面の中央を通っているので、この接合部をはがしながら開くことができるので、大きな内容物を取り出すことも簡単にできる。
【００１９】
また、本例においては切断補助手段としてミシン目６が設けられているので、このミシン目６に沿って切断し、上部を取り除くこともできる。
【符号の説明】
【００２０】
１．手提げ袋
２．シート面
３．側端部（接続部）
５．切込み部
６．切断補助手段（ミシン目）
９．持ち手穴
【図１】
0003154417.tif 000003
【図２】
0003154417.tif 000004
【図３】
0003154417.tif 000005